(57)【要約】  出力軸のロックを解除する際におけるエンジンの逆回転を抑制するハイブリッド車両の制御装置を提供する。  噛合クラッチ４６乃至摩擦クラッチ９２によりクランク軸２６がハウジング２８に対して固定され且つ第１電動機ＭＧ１によりリングギヤＲに動力を伝達している状態から、そのロック機構による固定が解除される状態への切換時に、第１電動機ＭＧ１のトルクの絶対値が減少させられた後にその噛合クラッチ４６による固定が解除されることから、例えば噛合クラッチ４６に備えられたアクチュエータ４６ｄの応答ばらつき等によりその噛合クラッチ４６による固定が早期に解除された場合であっても、エンジン１２の逆回転を好適に抑制できる。
2013038481.tif 000002
【特許請求の範囲】
【請求項１】
第１回転要素、入力回転部材であってエンジンに連結された第２回転要素、及び出力回転部材である第３回転要素を備えた差動機構と、前記第１回転要素に連結された電動機と、前記エンジンの出力軸を非回転部材に対して固定するロック機構とを、備えたハイブリッド車両の制御装置であって、
前記ロック機構により前記出力軸が非回転部材に対して固定され且つ前記電動機により前記第３回転要素に動力を伝達している状態から、該ロック機構による固定が解除される状態への切換時に、前記電動機のトルクの絶対値が減少させられた後に該ロック機構による固定が解除されることを特徴とするハイブリッド車両の制御装置。
【請求項２】
前記電動機により前記第３回転要素に動力を伝達している状態においては、該電動機のトルクは前記エンジンを逆回転させる方向とされたものである請求項１に記載のハイブリッド車両の制御装置。
【請求項３】
前記切換時に、前記電動機のトルクが前記エンジンを正転させる方向に変化させられた後に前記ロック機構による固定が解除されるものである請求項１又は２に記載のハイブリッド車両の制御装置。
【請求項４】
前記第３回転要素と駆動輪との間の動力伝達経路に第２電動機が接続されたものであり、
前記切換時に、前記電動機のトルクの絶対値が減少させられる際には、前記第２電動機のトルクの絶対値は維持乃至増加させられるものである請求項１から３の何れか１項に記載のハイブリッド車両の制御装置。
【請求項５】
前記切換時に、前記電動機のトルク制御による前記エンジンの出力軸の回転速度変化に基づいて該出力軸の前記非回転部材に対する固定の解除を検出するものである請求項１から４の何れか１項に記載のハイブリッド車両の制御装置。
【発明の詳細な説明】
【技術分野】
【０００１】
本発明は、エンジンの出力軸をロックする構成を備えたハイブリッド車両の制御装置に関し、特に、その出力軸のロックを解除する際におけるエンジンの逆回転を抑制するための改良に関する。
【背景技術】
【０００２】
第１回転要素、入力回転部材であってエンジンに連結された第２回転要素、及び出力回転部材である第３回転要素を備えた差動機構と、前記第１回転要素に連結された第１電動機と、前記第３回転要素から駆動輪までの動力伝達経路に動力伝達可能に接続された第２電動機とを、備えたハイブリッド車両が知られている。斯かるハイブリッド車両において、前記エンジンの出力軸をハウジング等の非回転部材に対して固定するロック機構を設ける技術が提案されている。例えば、特許文献１に記載された動力出力装置がそれである。この技術によれば、前記エンジンの停止時（非回転時）においてそのエンジンの出力軸をロックすることで、前記第１電動機及び第２電動機を走行用の駆動源として併用することができ、モータ走行の高出力化を実現することができる。
【先行技術文献】
【特許文献】
【０００３】
【特許文献１】特開２００５−１３８７７９号公報
【特許文献２】特開２００８−２６５６００号公報
【発明の概要】
【発明が解決しようとする課題】
【０００４】
しかし、前記従来の技術では、前記エンジンを停止させると共に前記電動機のトルクを駆動に用いるＥＶ走行時において前記ロック機構による固定が解除される場合、すなわちそのロック機構により前記エンジンの出力軸を固定した状態から回転可能とする状態への移行時に、例えば前記ロック機構に備えられたブレーキアクチュエータの応答ばらつき等により前記エンジンの出力軸が逆回転する可能性があった。このような課題は、ハイブリッド車両の品質向上を意図して本発明者等が鋭意研究を続ける過程において新たに見出したものである。【０００５】
本発明は、以上の事情を背景として為されたものであり、その目的とするところは、出力軸のロックを解除する際におけるエンジンの逆回転を抑制するハイブリッド車両の制御装置を提供することにある。
【課題を解決するための手段】
【０００６】
斯かる目的を達成するために、本第１発明の要旨とするところは、第１回転要素、入力回転部材であってエンジンに連結された第２回転要素、及び出力回転部材である第３回転要素を備えた差動機構と、前記第１回転要素に連結された電動機と、前記エンジンの出力軸を非回転部材に対して固定するロック機構とを、備えたハイブリッド車両の制御装置であって、前記ロック機構により前記出力軸が非回転部材に対して固定され且つ前記電動機により前記第３回転要素に動力を伝達している状態から、そのロック機構による固定が解除される状態への切換時に、前記電動機のトルクの絶対値が減少させられた後にそのロック機構による固定が解除されることを特徴とするものである。
【発明の効果】
【０００７】
このように、前記第１発明によれば、前記ロック機構により前記出力軸が非回転部材に対して固定され且つ前記電動機により前記第３回転要素に動力を伝達している状態から、そのロック機構による固定が解除される状態への切換時に、前記電動機のトルクの絶対値が減少させられた後にそのロック機構による固定が解除されることから、例えば前記ロック機構に備えられたブレーキアクチュエータの応答ばらつき等によりそのロック機構による固定が早期に解除された場合であっても、前記エンジンの逆回転を好適に抑制できる。すなわち、出力軸のロックを解除する際におけるエンジンの逆回転を抑制するハイブリッド車両の制御装置を提供することができる。【０００８】
ここで、前記第１発明に従属する本第２発明の要旨とするところは、前記電動機により前記第３回転要素に動力を伝達している状態においては、その電動機のトルクは前記エンジンを逆回転させる方向とされたものである。このようにすれば、ロック機構による固定が早期に解除された場合等において前記エンジンの逆回転が発生し易い場合において、出力軸のロックを解除する際におけるエンジンの逆回転を好適に抑制することができる。【０００９】
また、前記第１発明乃至第２発明に従属する本第３発明の要旨とするところは、前記切換時に、前記電動機のトルクが前記エンジンを正転させる方向に変化させられた後に前記ロック機構による固定が解除されるものである。このようにすれば、出力軸のロックを解除する際におけるエンジンの逆回転を好適且つ実用的な態様で抑制することができる。【００１０】
また、前記第１発明、第２発明、第１発明に従属する第３発明、乃至第２発明に従属する第３発明に従属する本第４発明の要旨とするところは、前記第３回転要素と駆動輪との間の動力伝達経路に第２電動機が接続されたものであり、前記切換時に、前記電動機のトルクの絶対値が減少させられる際には、前記第２電動機のトルクの絶対値は維持乃至増加させられるものである。このようにすれば、出力軸のロックを解除する際における駆動輪側への出力トルクの低下を好適に抑制することができる。【００１１】
また、前記第１発明、第２発明、第１発明に従属する第３発明、第２発明に従属する第３発明、第１発明に従属する第４発明、第２発明に従属する第４発明、乃至第３発明に従属する第４発明に従属する本第５発明の要旨とするところは、前記切換時に、前記電動機のトルク制御による前記エンジンの出力軸の回転速度変化に基づいてその出力軸の前記非回転部材に対する固定の解除を検出するものである。このようにすれば、出力軸のロックを解除する際に、そのロックが解除されたことを好適且つ実用的な態様で検出することができる。
【図面の簡単な説明】
【００１２】
【図１】本発明が好適に適用されるハイブリッド車両用駆動装置の構成を例示する骨子図である。
【図２】図１の駆動装置によるハイブリッド駆動を制御するために備えられた電気系統の要部を例示する図である。
【図３】図１の駆動装置における電子制御装置に備えられた制御機能の要部を説明する機能ブロック線図である。
【図４】図１の駆動装置に備えられた差動機構における３つの回転要素の回転速度を相対的に表すことができる共線図であり、エンジンが停止している走行状態を示している。
【図５】図１の駆動装置に備えられた差動機構における３つの回転要素の回転速度を相対的に表すことができる共線図であり、エンジンが駆動している走行状態を示している。
【図６】図１の駆動装置に備えられた差動機構における３つの回転要素の回転速度を相対的に表すことができる共線図であり、ロック解除時にエンジンが逆回転する様子を示している。
【図７】図１の駆動装置に備えられた差動機構における３つの回転要素の回転速度を相対的に表すことができる共線図であり、ロック解除時における出力軸トルクの釣り合いについて説明している。
【図８】図１の駆動装置における本実施例の制御について説明するタイムチャートである。
【図９】図１の駆動装置に備えられた電子制御装置による本実施例のハイブリッド駆動制御の要部を説明するフローチャートである。
【図１０】本発明が好適に適用される他のハイブリッド車両用駆動装置の構成を例示する骨子図である。
【図１１】図１０の駆動装置に備えられた電子制御装置による本実施例のハイブリッド駆動制御の要部を説明するフローチャートである。
【発明を実施するための形態】
【００１３】
本発明が適用されるハイブリッド車両において、好適には、前記第１回転要素に連結された電動機である第１電動機の他に、前記差動機構における第３回転要素から駆動輪までの動力伝達経路に、駆動源として機能させられる第２電動機が動力伝達可能に接続される。斯かるハイブリッド車両では、前記エンジンを停止させると共に前記第１電動機及び第２電動機のうち少なくとも一方を駆動源とするモータ走行モードや、前記エンジンを駆動源としてその動力を機械的に駆動輪に伝えて走行するエンジン走行モード等、複数の走行モードの何れかが車両の走行状態に応じて選択的に成立させられる。
【００１４】
前記ロック機構は、好適には、前記エンジンを停止させる走行モードにおいてそのエンジンの出力軸を非回転部材に固定（ロック）する一方、そのエンジンを駆動させる走行モードにおいては前記出力軸の回転を許容するように切り換えられる。このロック機構により前記出力軸が非回転部材に対して固定された状態では、前記第１電動機及び第２電動機を駆動源として併用でき、比較的大きな出力を実現できる。また、本発明は、比較的容量の大きなバッテリを備え、家庭用電源からそのバッテリへの蓄電が可能な所謂プラグインハイブリッド車両に好適に適用される。
【００１５】
前記ロック機構は、好適には、よく知られた噛合クラッチ（ドッグクラッチ）であり、例えば、外周に複数の噛合歯を備え、前記エンジンの出力軸と同じ軸心まわりに一体回転させられるように設けられた第１部材と、その第１部材の噛合歯に対応する複数の噛合歯を備え、前記非回転部材に固設された第２部材と、前記第１部材及び第２部材の噛合歯に噛み合わされるスプラインを内周側に備え、前記噛合歯及びスプラインが相互に噛み合わされた状態でそれら第１部材及び第２部材に対して軸心方向の移動可能に設けられたスリーブと、そのスリーブを軸心方向に駆動するアクチュエータとを、備えて構成されものである。斯かる噛合クラッチにおいて、前記スリーブのスプラインが前記第１部材及び第２部材両方の噛合歯に噛み合わされた状態においては、前記エンジンの出力軸が非回転部材に対して固定される一方、前記スリーブのスプラインが前記第１部材の噛合歯には噛み合わされず且つ第２部材の噛合歯に噛み合わされた状態においては、前記固定が解除されて前記エンジンの出力軸の回転が許容される。前記アクチュエータは、好適には、油圧により前記スリーブを駆動する（第１部材及び第２部材に対する軸心方向の位置を切り換える）油圧アクチュエータであるが、電磁力により斯かるスリーブの駆動を行う電磁アクチュエータ等を備えたものであってもよい。
【００１６】
また、前記ロック機構は、好適には、油圧アクチュエータによってその係合状態が制御されるよく知られた多板式の油圧式摩擦係合装置である。また、電磁アクチュエータによってその係合状態が制御される電磁式摩擦係合装置や磁粉式クラッチ、或いは回生ブレーキとして機能するオルタネータ等を前記ロック機構として備えたハイブリッド車両においても、本発明は一応の効果を奏する。すなわち、本発明は、前記エンジンの出力軸を非回転部材に対して固定するロック機構を備えたハイブリッド車両に広く適用されるものである。
【００１７】
以下、本発明の好適な実施例を図面に基づいて詳細に説明する。
【実施例１】
【００１８】
図１は、本発明が好適に適用されるハイブリッド車両用駆動装置１０（以下、単に駆動装置１０という）の構成を例示する骨子図である。この図１に示す駆動装置１０は、ＦＦ（フロントエンジン・フロントドライブ）型車両に好適に用いられるものであって、駆動源（主動力源）であるエンジン１２と、駆動輪である左右１対の車輪１４ｌ、１４ｒ（以下、特に区別しない場合には単に車輪１４という）との間の動力伝達経路に、第１駆動部１６、第２駆動部１８、差動歯車装置２０、及び左右１対の車軸２２ｌ、２２ｒ（以下、特に区別しない場合には単に車軸２２という）を備えて構成されている。【００１９】
上記エンジン１２は、例えば、気筒内噴射される燃料の燃焼によって駆動力を発生させるガソリンエンジン或いはディーゼルエンジン等の内燃機関である。また、上記第１駆動部１６は、３つの回転要素であるサンギヤＳ、キャリヤＣＡ、及びリングギヤＲを有する遊星歯車装置２４と、その遊星歯車装置２４のサンギヤＳに連結された第１電動機ＭＧ１とを、備えて構成されている。また、上記エンジン１２の出力軸であるクランク軸２６と、非回転部材であるハウジング（トランスアクスルハウジング）２８との間には、ロック機構としての噛合クラッチ４６が設けられている。【００２０】
前記エンジン１２のクランク軸２６は、前記第１駆動部１６の入力軸として上記遊星歯車装置２４のキャリアＣＡに連結されている。また、そのクランク軸２６は、機械式オイルポンプ３０に連結されており、前記エンジン１２の駆動によりそのオイルポンプ３０から後述する油圧制御回路４８の元圧としての油圧が発生させられるようになっている。また、上記遊星歯車装置２４のリングギヤＲは、出力歯車３２に連結されている。すなわち、上記遊星歯車装置２４は、第１回転要素としてのサンギヤＳ、入力回転部材であって前記エンジン１２に連結された第２回転要素としてのキャリアＣＡ、及び出力回転部材である第３回転要素としてのリングギヤＲを備えた差動機構に対応する。【００２１】
上記出力歯車３２は、前記第１駆動部１６の入力軸としてのクランク軸２６と平行を成す中間出力軸３４と一体的に設けられた大径歯車３６と噛み合わされている。また、同じくその中間出力軸３４と一体的に設けられた小径歯車３８が、前記差動歯車装置２０の入力歯車４０と噛み合わされている。また、上記大径歯車３６は、第２電動機ＭＧ２の出力軸４２に連結された第２出力歯車４４と噛み合わされている。ここで、好適には、前記第１電動機ＭＧ１及び第２電動機ＭＧ２は、何れも駆動力を発生させるモータ（発動機）及び反力を発生させるジェネレータ（発電機）としての機能を有するモータジェネレータであるが、前記第１電動機ＭＧ１は少なくともジェネレータとしての機能を備え、上記第２電動機ＭＧ２は少なくともモータとしての機能を備えるものである。【００２２】
以上のように構成された駆動装置１０において、前記第１駆動部１６におけるエンジン１２から出力された回転は、差動機構としての前記遊星歯車装置２４を介して前記出力歯車３２から出力され、上記中間出力軸３４に設けられた大径歯車３６及びその大径歯車３６よりも歯数が少ない小径歯車３８を介して前記差動歯車装置２０の入力歯車４０に入力される。ここで、前記出力歯車３２から出力された回転は、上記大径歯車３６の歯数と小径歯車３８の歯数とで定まる所定の減速比で減速されて前記差動歯車装置２０の入力歯車４０に入力される。また、その差動歯車装置２０は、終減速機として機能している。【００２３】
また、前記第１駆動部１６における第１電動機ＭＧ１の回転は、前記遊星歯車装置２４を介して前記出力歯車３２に伝達され、前記中間出力軸３４に設けられた大径歯車３６及び小径歯車３８を介して前記差動歯車装置２０の入力歯車４０に伝達されるように構成されている。また、前記第２駆動部１８における第２電動機ＭＧ２の回転は、前記出力軸４２及び第２出力歯車４４を介して前記中間出力軸３４に設けられた大径歯車３６に伝達され、その大径歯車３６及び小径歯車３８を介して前記差動歯車装置２０の入力歯車４０に伝達されるように構成されている。すなわち、本実施例の駆動装置１０においては、前記エンジン１２、第１電動機ＭＧ１、及び第２電動機ＭＧ２の何れもが走行用の駆動源として用いられ得るように構成されている。【００２４】
前記噛合クラッチ４６は、好適には、外周に複数の噛合歯を備え、前記クランク軸２６と同じ軸心まわりに一体回転させられるように設けられたエンジン側部材４６ａと、そのエンジン側部材４６ａの噛合歯に対応する複数の噛合歯を備え、前記ハウジング２８に固設されたハウジング側部材４６ｂと、上記エンジン側部材４６ａ及びハウジング側部材４６ｂの噛合歯に噛み合わされるスプラインを内周側に備え、斯かるスプラインが上記エンジン側部材４６ａ及びハウジング側部材４６ｂの噛合歯に噛み合わされた状態でそれらエンジン側部材４６ａ及びハウジング側部材４６ｂに対して軸心方向の移動（摺動）可能に設けられたスリーブ４６ｃと、そのスリーブ４６ｃを軸心方向に駆動するアクチュエータ４６ｄとを、備えて構成されている。このアクチュエータ４６ｄは、好適には、油圧制御回路４８から供給される油圧Ｐbcrに応じて上記スリーブ４６ｃを、その内周側に設けられたスプラインが上記エンジン側部材４６ａ及びハウジング側部材４６ｂ両方の噛合歯に噛み合わされた状態と、上記ハウジング側部材４６ｂの噛合歯にのみ噛み合わされ且つ上記エンジン側部材４６ａの噛合歯には噛み合わされない状態との間で移動させる油圧アクチュエータである。【００２５】
例えば上記油圧制御回路４８から供給される油圧Ｐbcrが増加させられ、上記アクチュエータ４６ｄにより上記スリーブ４６ｃが上記エンジン側部材４６ａ及びハウジング側部材４６ｂ両方の噛合歯に噛み合わされる状態に移動させられると、前記エンジン１２のクランク軸２６が前記噛合クラッチ４６を介して前記ハウジング２８に固定されることで、そのクランク軸２６は前記ハウジング２８に対して相対回転不能な状態とされる。一方、例えば上記油圧制御回路４８から供給される油圧Ｐbcrが減少させられ、上記アクチュエータ４６ｄに備えられたリターンスプリングの付勢力等により上記スリーブ４６ｃが上記ハウジング側部材４６ｂの噛合歯にのみ噛み合わされ且つ上記エンジン側部材４６ａには噛み合わされない状態に移動させられると、前記噛合クラッチ４６により前記クランク軸２６がハウジング２８に対して固定された状態が解除されることで、そのクランク軸２６は前記ハウジング２８に対して相対回転可能な状態とされる。【００２６】
図２は、本実施例の駆動装置１０によるハイブリッド駆動を制御するために備えられた電気系統の要部を例示する図である。この図２に示すように、前記駆動装置１０は、ハイブリッド駆動制御用電子制御装置５０、エンジン制御用電子制御装置５２、及び電動機制御用電子制御装置５４を備えている。これらの電子制御装置５０、５２、５４は、何れもＣＰＵ、ＲＯＭ、ＲＡＭ、及び入出力インターフェイス等から成る所謂マイクロコンピュータを含んで構成されており、ＲＡＭの一時記憶機能を利用しつつＲＯＭに予め記憶されたプログラムに従って信号処理を行うことにより前記エンジン１２、第１電動機ＭＧ１、及び第２電動機ＭＧ２によるハイブリッド駆動制御、及び前記噛合クラッチ４６の作動制御をはじめとする各種制御を実行する。ここで、本実施例においては、上記電子制御装置５２が主に前記エンジン１２の駆動（出力トルク）制御を、上記電子制御装置５４が主に前記第１電動機ＭＧ１及び第２電動機ＭＧ２の駆動（出力トルク）制御を、上記電子制御装置５０が上記電子制御装置５２、５４を介しての前記駆動装置１０全体の駆動制御等を行う態様について説明するが、これら電子制御装置５０、５２、５４は、必ずしも個別の制御装置として備えられたものでなくともよく、一体の制御装置として備えられたものであってもよい。また、上記電子制御装置５０、５２、５４それぞれが更に個別の制御装置に分けて備えられたものであってもよい。【００２７】
図２に示すように、上記電子制御装置５０には、前記駆動装置１０の各部に設けられた各種センサやスイッチ等から各種信号が供給されるようになっている。すなわち、車速センサから車速Ｖを表す信号、アクセル開度センサから運転者の出力要求量に対応するアクセルペダルの操作量であるアクセル開度ＡCCを表す信号、ＭＧ１回転速度センサから前記第１電動機ＭＧ１の回転速度ＮMG1を表す信号、ＭＧ２回転速度センサから前記第２電動機ＭＧ２の回転速度ＮMG2を表す信号、出力軸回転速度センサから前記出力歯車３２の回転速度ＮOUTに対応する信号、ＡＴＦ油温センサから前記駆動装置１０の各部に供給される作動油の温度であるＡＴＦ油温ＴATFに対応する信号、エンジン回転速度センサ５６から前記エンジン１２の回転速度ＮEに対応する信号、及びバッテリＳＯＣセンサ５８から図示しないバッテリ（蓄電装置）の蓄電量であるバッテリＳＯＣに対応する信号、或いはそのバッテリＳＯＣに応じた入出力制限値すなわち入力制限値Ｗin及び出力制限値Ｗoutを表す信号等がそれぞれ上記電子制御装置５０に供給されるようになっている。【００２８】
また、前記電子制御装置５０からは、前記電子制御装置５２、５４へそれぞれ前記エンジン１２の駆動制御、前記第１電動機ＭＧ１の駆動制御、及び前記第２電動機ＭＧ２の駆動制御を行うための指令信号が出力されるようになっている。すなわち、前記電子制御装置５２に対して、エンジントルク指令として、例えばエンジン出力制御装置６２（図３を参照）を介して前記エンジン１２の出力を制御するための信号である、そのエンジン１２の吸気管に備えられた電子スロットル弁の開度θTHを操作するスロットルアクチュエータへの駆動信号、燃料噴射装置による吸気管等への燃料供給量を制御する燃料供給量信号、或いは点火装置によるエンジン１２の点火時期を指令する点火信号等が出力される。また、前記電子制御装置５４に対して、ＭＧ１トルク指令及びＭＧ２トルク指令として、第１インバータ６４及び第２インバータ６６（図３を参照）を介して図示しないバッテリから前記第１電動機ＭＧ１及び第２電動機ＭＧ２に対して供給される電気エネルギ等を制御するための指令信号が出力される。また、前記噛合クラッチ４６の作動を制御するために、前記アクチュエータ４６ｄに供給される油圧Ｐbcrを調圧する油圧制御回路４８に備えられた電磁制御弁に対して、その電磁制御弁からの出力圧を制御するための油圧指令信号が出力される。【００２９】
図３は、前記電子制御装置５０、５２、５４等に備えられた制御機能の要部を説明する機能ブロック線図である。好適には、この図３に示すハイブリッド駆動制御部７０及びロック機構作動制御部７８は、何れも前記電子制御装置５０に機能的に備えられるものであるが、これらの制御機能は、前記電子制御装置５０、５２、５４の何れに備えられたものであってもよく、更にはそれら前記電子制御装置５０、５２、５４とは別の制御装置に備えられたものであってもよい。また、ハイブリッド駆動制御部７０に含まれるエンジン駆動制御部７２が前記電子制御装置５２に、第１電動機駆動制御部７４及び第２電動機駆動制御部７６が前記電子制御装置５４に機能的に備えられるというように、それらの制御機能が前記電子制御装置５０、５２、５４に分散的に備えられると共に各電子制御装置５０、５２、５４相互間で情報の送受信を行うことで処理を実行するものであっても構わない。【００３０】
図３に示すハイブリッド駆動制御部７０は、前記駆動装置１０によるハイブリッド駆動制御を行う。具体的には、前記エンジン出力制御装置６２を介して前記エンジン１２の駆動を制御すると共に、前記第１インバータ６４及び第２インバータ６６を介して前記第１電動機ＭＧ１及び第２電動機ＭＧ２の駆動（力行）乃至発電（回生）を制御する。斯かる制御を行うために、エンジン駆動制御部７２、第１電動機駆動制御部７４、及び第２電動機駆動制御部７６を含んでいる。以下、これらの制御機能について分説する。【００３１】
前記エンジン駆動制御部７２は、基本的には、前記エンジン出力制御装置６２を介して前記エンジン１２の駆動を制御する。具体的には、前記エンジン１２の出力が前記電子制御装置５０により算出される目標エンジン出力（目標回転速度乃至目標出力トルク）となるように、前記エンジン１２の吸気管に備えられた電子スロットル弁の開度θTHを操作するスロットルアクチュエータへの駆動信号、燃料噴射装置による吸気管等への燃料供給量を制御する燃料供給量信号、及び点火装置による前記エンジン１２の点火時期を指令する点火信号等を、前記電子制御装置５２を介して前記エンジン出力制御装置６２へ供給する。【００３２】
前記第１電動機駆動制御部７４は、基本的には、前記第１インバータ６４を介して前記第１電動機ＭＧ１の作動を制御する。具体的には、前記第１電動機ＭＧ１の出力が前記電子制御装置５０により算出される目標第１電動機出力（目標回転速度乃至目標出力トルク）となるように、図示しないバッテリと前記第１電動機ＭＧ１との間の電気エネルギの入出力を制御するための信号を、前記電子制御装置５４を介して前記第１インバータ６４へ供給する。【００３３】
前記第２電動機駆動制御部７６は、基本的には、前記第２インバータ６６を介して前記第２電動機ＭＧ２の作動を制御する。具体的には、前記第２電動機ＭＧ２の出力が前記電子制御装置５０により算出される目標第２電動機出力（目標回転速度乃至目標出力トルク）となるように、図示しないバッテリと前記第２電動機ＭＧ２との間の電気エネルギの入出力を制御するための信号を、前記電子制御装置５４を介して前記第２インバータ６６へ供給する。【００３４】
前記ハイブリッド駆動制御部７０は、前記エンジン駆動制御部７２、第１電動機駆動制御部７４、及び第２電動機駆動制御部７６を介して前記駆動装置１０によるハイブリッド駆動制御を行う。例えば、予め定められて記憶装置に記憶された図示しないマップから、アクセル操作量センサにより検出されるアクセル操作量ＡCC及び車速センサにより検出される車速Ｖ等に基づいて、前記車輪１４に伝達されるべき駆動力の目標値である要求駆動力Ｆreqを算出し、算出されたその要求駆動力Ｆreqに応じて、低燃費で排ガス量の少ない運転となるように前記エンジン１２、第１電動機ＭＧ１、及び第２電動機ＭＧ２の少なくとも１つから要求出力を発生させる。すなわち、前記エンジン１２を停止させると共に前記第１電動機ＭＧ１及び第２電動機ＭＧ２のうち少なくとも一方を駆動源とするモータ走行モード（ＥＶモード）、専ら前記エンジン１２を駆動源としてその動力を機械的に前記車輪１４に伝えて走行するエンジン走行モード、及び前記エンジン１２及び第２電動機ＭＧ２（或いはそれに加えて第１電動機ＭＧ１）を共に駆動源として走行するハイブリッド走行モード等を、車両の走行状態に応じて選択的に成立させる。【００３５】
前記ハイブリッド駆動制御部７０は、好適には、前記バッテリＳＯＣセンサ５８により検出されるバッテリＳＯＣに基づいて、前記エンジン１２が停止させられる走行モードであるモータ走行モードと、そのエンジン１２の駆動が行われる走行モードであるエンジン走行モード乃至ハイブリッド走行モードとの切替制御を行う。例えば、前記バッテリＳＯＣセンサ５８により検出されるバッテリＳＯＣが予め定められた閾値Ｓboより大きい場合には、前記エンジン１２が停止させられる走行モードであるモータ走行モードを成立させる一方、バッテリＳＯＣが上記閾値Ｓbo以下である場合には、前記エンジン１２の駆動が行われる走行モードであるエンジン走行モード乃至ハイブリッド走行モードを成立させる。また、好適には、前記アクセル操作量センサにより検出されるアクセル操作量ＡCC及び車速センサにより検出される車速Ｖ等に基づいて斯かる走行モードの切替制御を行うものであってもよい。【００３６】
前記ロック機構作動制御部７８は、ロック機構である前記噛合クラッチ４６の作動を制御する。具体的には、前記油圧制御回路４８から前記アクチュエータ４６ｄに供給される油圧Ｐbcrを制御することで、その噛合クラッチ４６の係合状態すなわち前記エンジン１２のクランク軸２６の固定（ハウジング２８に対する固定）乃至その固定の解除を制御する。例えば、前記ハイブリッド駆動制御部７０により前記エンジン１２が停止させられる走行モードであるモータ走行モード等が成立させられる場合には、前記油圧制御回路４８から前記アクチュエータ４６ｄに供給される油圧Ｐbcrを増加させることで、そのアクチュエータ４６ｄにより前記スリーブ４６ｃを前記エンジン側部材４６ａ及びハウジング側部材４６ｂ両方の噛合歯に噛み合わされる状態に移動させる。すなわち、前記エンジン１２のクランク軸２６を前記ハウジング２８に対して固定するように前記噛合クラッチ４６の作動を制御する。また、前記ハイブリッド駆動制御部７０により前記エンジン１２の駆動が行われる走行モードであるエンジン走行モード乃至ハイブリッド走行モード等が成立させられる場合には、前記油圧制御回路４８から前記アクチュエータ４６ｄに供給される油圧Ｐbcrを減少させることで、そのアクチュエータ４６ｄにより前記スリーブ４６ｃを前記ハウジング側部材４６ｂの噛合歯には噛み合わされるが前記エンジン側部材４６ａの噛合歯には噛み合わされない状態に移動させる。すなわち、前記クランク軸２６のハウジング２８に対する固定を解除するように前記噛合クラッチ４６の作動を制御する。【００３７】
図４及び図５は、差動機構である前記遊星歯車装置２４における３つの回転要素の回転速度を相対的に表すことができる共線図であり、縦線Ｙ１〜Ｙ３は紙面向かって左から順に縦線Ｙ１が前記第１電動機ＭＧ１に連結された第１回転要素であるサンギヤＳの回転速度を、縦線Ｙ２が前記エンジン１２に連結された第２回転要素である前記キャリアＣＡの回転速度を、縦線Ｙ３が前記大径歯車３６及び第２出力歯車４４等を介して前記第２電動機ＭＧ２に連結された第３回転要素である前記リングギヤＲの回転速度をそれぞれ示している。また、図４は前記エンジン１２の駆動が行われない（エンジン１２が停止させられる）走行モードであるモータ走行モードにおける各回転要素の相対速度を、図５は前記エンジン１２の駆動が行われる走行モードであるエンジン走行モード乃至ハイブリッド走行モードにおける各回転要素の相対速度をそれぞれ示している。【００３８】
図４及び図５を用いて前記駆動装置１０の作動について説明すると、前記遊星歯車装置２４は、第１回転要素としてのサンギヤＳ、第２回転要素及び入力回転部材としてのキャリアＣＡ、及び第３回転要素及び出力回転部材としてのリングギヤＲを備えた差動機構に対応する。また、上記第１回転要素としてのサンギヤＳが前記第１電動機ＭＧ１に連結され、第２回転要素としてのキャリアＣＡが前記エンジン１２に連結され、第３回転要素としてのリングギヤＲが前記大径歯車３６及び第２出力歯車４４等を介して前記第２電動機ＭＧ２に動力伝達可能に接続されることで、前記遊星歯車装置２４、第１電動機ＭＧ１、及び第２電動機ＭＧ２を主体とする電気的無段変速部が構成される。【００３９】
また、図４を用いて前記モータ走行モードにおける前記駆動装置１０の作動について説明すると、前記エンジン１２の駆動は行われず、その回転速度は零とされる。また、好適には、前記ロック機構作動制御部７８により前記油圧制御回路４８を介して前記噛合クラッチ４６が前記クランク軸２６をハウジング２８に対して固定するように作動させられ、前記エンジン１２の回転がロックされる。斯かる状態においては、前記第２電動機ＭＧ２の力行トルクが車両前進方向の駆動力として前記車輪１４へ伝達される。また、前記第１電動機ＭＧ１の反力トルクが車両前進方向の駆動力として前記車輪１４へ伝達される。すなわち、前記第１電動機ＭＧ１の反力トルクにより、出力回転部材に対応する前記リングギヤＲの回転速度が正回転方向に引き上げられる。図４の破線から実線への変化は、前記第１電動機ＭＧ１の回転速度を破線に示す値から実線に示す値に下げたとき、前記第２電動機ＭＧ２の回転速度（リングギヤＲの回転速度）が引き上げられる様子を示している。すなわち、前記駆動装置１０においては、前記エンジン１２のクランク軸２６が前記噛合クラッチ４６によりロックされることで、前記第１電動機ＭＧ１及び第２電動機ＭＧ２を走行用の駆動源として併用することができ、例えば家庭用電源からバッテリへの蓄電が可能な所謂プラグインハイブリッド車両等において、モータ走行の高出力化を実現することができる。【００４０】
また、図５を用いて前記エンジン走行モード乃至ハイブリッド走行モードにおける前記駆動装置１０の作動について説明すると、前記キャリアＣＡに入力される前記エンジン１２の出力トルクに対して、前記第１電動機ＭＧ１による反力トルクが前記サンギヤＳに入力されると、その第１電動機ＭＧ１は発電機として機能させられる。また、前記リングギヤＲの回転速度（出力軸回転速度）が一定である場合には、前記第１電動機ＭＧ１の回転速度を上下に変化させることにより、前記エンジン１２の回転速度ＮEを連続的に（無段階に）変化させることができる。すなわち、前記エンジン１２の回転速度ＮEを例えば燃費が最もよい回転速度に設定する制御を、前記第１電動機ＭＧ１の力行制御乃至反力制御により実行することができる。この種のハイブリッド形式は、機械分配式あるいはスプリットタイプと称される。【００４１】
ここで、前記駆動装置１０のように、前記エンジン１２のクランク軸２６をハウジング２８に対して固定する噛合クラッチ４６を備えた構成において、そのクランク軸２６をハウジング２８に対して固定するロック状態からその固定を解除する解放状態への移行が行われる場合に、従来の技術においては前記アクチュエータ４６ｄの応答ばらつき等により、前記エンジン１２のクランク軸２６に逆回転が発生するおそれがあった。すなわち、前記第１電動機ＭＧ１のトルク（反力トルク）の大きさによっては、図６に一点鎖線で示すように前記エンジン１２の回転速度に対応するキャリアＣＡが負の方向（エンジン正転方向の逆方向）に回転し、結果、図６に破線で囲繞して示すように、前記エンジン１２に逆回転（正転方向の逆方向の回転）が発生するおそれがあった。【００４２】
また、前記駆動装置１０のように、前記エンジン１２のクランク軸２６をハウジング２８に対して固定するロック機構として噛合クラッチ４６（ドッグクラッチ）を備えた構成においては、そのクランク軸２６のハウジング２８に対する引き摺りの発生を抑制できるという利点がある一方、前述したような噛合クラッチ４６の構成上、前記クランク軸２６をハウジング２８に対して固定するロック状態からその固定を解除する解放状態への移行に際して、前記噛合クラッチ４６の作動に比較的大きな駆動力が必要となる。すなわち、前記第１電動機ＭＧ１のトルク（反力トルク）の大きさによっては、図７に一点鎖線で示すように前記クランク軸２６に対して前記エンジン１２の逆転方向のトルクが生じる一方、前記第２電動機ＭＧ２のトルク（力行トルク）の大きさによっては、図７に二点鎖線で示すように前記クランク軸２６に対して前記エンジン１２の正転方向にトルクが生じる。そして、前記噛合クラッチ４６のスリーブ４６ｃが前記エンジン側部材４６ａ及びハウジング側部材４６ｂ両方の噛合歯に噛み合わされた状態から抜くためには、それらの部材にかかる相対的なトルクすなわち図７に破線で囲繞して示すキャリアＣＡ（クランク軸２６）における正転方向のトルクと逆転方向のトルクとがある程度釣り合う（クランク軸２６に作用するトルクが略零となる）必要があり、斯かる釣り合いがとれない場合には前記噛合クラッチ４６のスリーブ４６ｃを抜くことが困難となるおそれがある。ここで、比較的駆動力が大きなアクチュエータ４６ｄを用いることで、ある程度釣り合いがとれない状態においてもスリーブ４６ｃを抜くことが可能となるが、そのように比較的駆動力が大きなアクチュエータ４６ｄは大型となり、延いては装置全体の大型化につながるおそれがある。【００４３】
上記従来技術の不具合を前提として、本実施例の駆動装置１０においては、ロック機構である前記噛合クラッチ４６より前記クランク軸２６がハウジング２８に対して固定された状態であって、少なくとも前記第１電動機ＭＧ１を駆動源としてその動力を第３回転要素である前記リングギヤＲに伝達するＥＶ走行モードから、その噛合クラッチ４６による固定が解除される状態への切換時に、前記第１電動機ＭＧ１のトルクＴMG1の絶対値を減少させる制御を行う。すなわち、前記噛合クラッチ４６による固定の解除に際して、先ず、前記第１電動機駆動制御部７４により前記第１電動機ＭＧ１のトルクＴMG1の絶対値を減少させることにより、前記クランク軸２６の反力トルクを低減させた後、前記ロック機構作動制御部７８により前記噛合クラッチ４６による固定を解除する制御を行う。【００４４】
ここで、好適には、前記噛合クラッチ４６より前記クランク軸２６がハウジング２８に対して固定された状態からその噛合クラッチ４６による固定が解除される状態への切換時に、前記エンジン１２を正転させる方向に前記第１電動機ＭＧ１のトルクＴMG1を変化させた後、前記噛合クラッチ４６による固定を解除する制御を行う。すなわち、前記第１電動機ＭＧ１を駆動源としてその動力を第３回転要素である前記リングギヤＲに伝達する状態において、その第１電動機ＭＧ１のトルクＴMG1は前記エンジン１２を逆回転させる方向の反力トルクとなっているが、前記噛合クラッチ４６による固定の解除に際して、先ず、前記第１電動機駆動制御部７４により前記第１電動機ＭＧ１のトルクＴMG1を前記エンジン１２を正転させる方向に変化させた後、前記ロック機構作動制御部７８により前記噛合クラッチ４６による固定を解除する制御を行う。例えば、前記第１電動機ＭＧ１のトルクＴMG1が図６に示すように反力トルクである場合、その反力トルクを減少させる制御（トルクを力行側に増加させる制御）を行った後、前記噛合クラッチ４６による固定を解除する制御を行う。前記エンジン１２を正転させる方向に前記第１電動機ＭＧ１のトルクＴMG1を変化させた後に前記噛合クラッチ４６による固定を解除することで、比較的小さな駆動力で前記噛合クラッチ４６のスリーブ４６ｃを抜くことが可能となることに加え、前記アクチュエータ４６ｄの応答ばらつき等に起因する前記エンジン１２の逆回転を好適に抑制することができる。【００４５】
また、好適には、前記噛合クラッチ４６より前記クランク軸２６がハウジング２８に対して固定された状態からその噛合クラッチ４６による固定が解除される状態への切換時に、前記第１電動機駆動制御部７４により前記第１電動機ＭＧ１のトルクＴMG1の絶対値を減少させる制御を行う際には、前記第２電動機駆動制御部７６により前記第２電動機ＭＧ２のトルクＴMG2の絶対値を維持乃至増加させる制御を行う。換言すれば、その第２電動機ＭＧ２のトルクＴMG2の絶対値を減少させないように制御する。斯かる制御により、前記第１電動機ＭＧ１のトルクＴMG1の絶対値を減少させる制御に際して、前記車輪１４側に現れる出力トルク（アウトプットトルク）の一時的な低下を抑制することができ、駆動力抜けを好適に防止することができる。【００４６】
また、図３に示すように、前記ロック機構作動制御部７８は、ロック解除判定部８０を含んでいる。このロック解除判定部８０は、前記噛合クラッチ４６より前記クランク軸２６がハウジング２８に対して固定された状態からその噛合クラッチ４６による固定が解除される状態への切換時に、前記第１電動機ＭＧ１のトルク制御による前記エンジン１２のクランク軸２６の回転速度変化に基づいてそのクランク軸２６のハウジング２８に対する固定の解除を検出する。具体的には、前記第１電動機駆動制御部７４により前記第１電動機ＭＧ１のトルクＴMG1の絶対値を減少させる制御が開始されてから予め定められた規定時間後に、前記エンジン回転速度センサ５６により検出されるエンジン回転速度ＮEの変化に基づいて前記クランク軸２６のハウジング２８に対する固定が解除されたことを検出する。例えば、制御開始から規定時間後に、前記第１電動機ＭＧ１の回転が負回転から正回転（エンジン１２を正転させる方向の回転）に変化させられることにより、前記エンジン回転速度センサ５６により検出されるエンジン回転速度ＮEが予め定められた閾値Ｎbo（＞０）以上となった場合には、前記クランク軸２６のハウジング２８に対する固定が解除されたことを検出する。本実施例の制御においては、前記エンジン１２の始動制御を開始する前に斯かる検出を行い、その検出が行われた後（クランク軸２６のハウジング２８に対する固定の解除が検出された後）に、前記エンジン１２の始動に係るシーケンス制御が順次行われる。【００４７】
図８は、前記電子制御装置５０による本実施例の制御について説明するタイムチャートである。この図８に示す制御は、前記エンジン１２の駆動が行われていない走行モードからその駆動が行われる走行モードへの移行時の制御に対応しており、前記噛合クラッチ４６のアクチュエータ４６ｄに供給される油圧Ｐbcr（クラッチ油圧）は、時点ｔ１以前において前記スリーブ４６ｃが前記エンジン側部材４６ａ及びハウジング側部材４６ｂ両方の噛合歯に噛み合わされる位置とする油圧Ｐ1とされている。また、斯かる時点ｔ１において、バッテリＳＯＣは閾値Ｓboより大きい値となっている。【００４８】
図８に示す制御では、先ず、時点ｔ１において、バッテリＳＯＣが閾値Ｓboより小さな値となり、前記エンジン１２の駆動が行われない走行モードからそのエンジン１２の駆動が行われる走行モードへの切換が判定される。すなわち、前記エンジン１２の始動が判定されてその指令が出力される。この時点ｔ１におけるエンジン始動指令の出力と略同時に、前記第１電動機ＭＧ１の反力トルクが低減され、好適には図８に示すように略零とされる。ここで、前記第２電動機ＭＧ２のトルクは低減されず、時点ｔ１以前の値に維持される。また、時点ｔ１から時点ｔ２までの間、クラッチ油圧すなわち前記噛合クラッチ４６のアクチュエータ４６ｄに供給される油圧Ｐbcrが上記油圧Ｐ1から零まで漸減させられる。次に、時点ｔ２において、前記噛合クラッチ４６のスリーブ４６ｃが前記エンジン側部材４６ａの噛合歯から抜かれ、前記ハウジング側部材４６ｂの噛合歯にのみ噛み合わされた状態となる。すなわち、前記噛合クラッチ４６による前記クランク軸２６のハウジング２８に対する固定が解除される。この時点ｔ２において、前記第１電動機ＭＧ１のトルクが所定値Ｔ1（＞０）に上昇させられ、時点ｔ３まで維持される。また、時点ｔ２から時点ｔ３までの間、前記第１電動機ＭＧ１の回転速度が漸増させられ、それに伴い前記エンジン１２のクランク軸２６の回転速度が漸増させられる。次に、時点ｔ３において、前記エンジン１２の点火が行われ、以降はエンジン１２の自律運転が開始される。また、時点ｔ３において、前記第１電動機ＭＧ１のトルクが制御開始前（時点ｔ１以前）の値に復帰させられる。斯かる制御により、前記エンジン１２の逆回転を抑制して好適な始動を実現することができる。【００４９】
図９は、前記電子制御装置５０による前記駆動装置１０のハイブリッド駆動制御の要部を説明するフローチャートであり、所定の周期で繰り返し実行されるものである。【００５０】
先ず、ステップ（以下、ステップを省略する）Ｓ１において、前記バッテリＳＯＣセンサ５８により検出されるバッテリＳＯＣが予め定められた閾値Ｓboよりも小さいか否かが判断される。このＳ１の判断が否定される場合には、それをもって本ルーチンが終了させられるが、Ｓ１の判断が肯定される場合には、前記駆動装置１０の走行モードとして前記エンジン１２の駆動を行うエンジン走行モードが設定され、そのエンジン１２の始動指令が出力された後、Ｓ２において、前記第１電動機ＭＧ１のトルクの絶対値が低減させられ、例えばそのトルクが略零とされる。次に、Ｓ３において、前記噛合クラッチ４６の解放制御が開始され、そのアクチュエータ４６ｄに供給される油圧Ｐbcrの漸減が開始される。次に、Ｓ４において、前記噛合クラッチ４６の解放が完了したか否か、すなわち前記クランク軸２６のハウジング２８に対する固定が解除されたか否かが、前記エンジン回転速度センサ５６により検出されるエンジン回転速度ＮEの変化に基づいて判定される。例えば、Ｓ１の判定が肯定されてから規定時間後に、前記エンジン回転速度センサ５６により検出されるエンジン回転速度ＮEが予め定められた閾値Ｎbo以上となったか否かが判断される。このＳ４の判断が否定される場合には、Ｓ２以下の処理が再び実行されるが、Ｓ４の判断が肯定される場合には、Ｓ５において、前記第１電動機ＭＧ１の回転速度ＮMG1の上昇が開始される。次に、Ｓ６において、前記エンジン１２の始動制御が開始される。すなわち、前記第２電動機ＭＧ２で反力をとりつつ前記第１電動機ＭＧ１により更に前記クランク軸２６の回転速度が上昇させられ、前記エンジン１２に点火が行われて自律運転が開始された後、本ルーチンが終了させられる。以上の制御において、Ｓ１、Ｓ２、Ｓ５、及びＳ６が前記ハイブリッド駆動制御部７０の動作に、Ｓ３及びＳ４が前記ロック機構作動制御部７８の動作に、Ｓ４が前記ロック解除判定部８０の動作にそれぞれ対応する。【００５１】
続いて、本発明の他の好適な実施例を図面に基づいて詳細に説明する。なお、以下の説明において、実施例相互に共通する部分については同一の符号を付してその説明を省略する。
【実施例２】
【００５２】
図１０は、本発明が好適に適用される他のハイブリッド車両用駆動装置９０の構成を例示する骨子図である。この図１０に示す駆動装置９０は、前記エンジン１２のクランク軸２６を非回転部材であるハウジング２８に対して固定するロック機構として摩擦クラッチ９２を備えている。この摩擦クラッチ９２は、好適には、油圧アクチュエータによって係合制御される例えば多板型の油圧式摩擦係合装置であり、好適には湿式の摩擦ブレーキである。この摩擦クラッチ９２は、前記油圧制御回路４８から供給される油圧Ｐbcrに応じてその係合状態が係合乃至解放の間で制御されるようになっている。また、必要に応じてスリップ係合（半係合）させられるように構成されたものであってもよい。前記摩擦クラッチ９２が解放された状態においては、前記エンジン１２のクランク軸２６は非回転部材である前記ハウジング２８に対して相対回転可能な状態とされる。一方、前記摩擦クラッチ９２が係合された状態においては、前記エンジン１２のクランク軸２６は前記ハウジング２８に対して相対回転不能な状態とされる。すなわち、前記摩擦クラッチ９２の係合により、前記エンジン１２のクランク軸２６は前記ハウジング２８に固定（ロック）されるように構成されている。【００５３】
上記駆動装置９０の電子制御装置５０に備えられたロック機構作動制御部７８は、ロック機構である上記摩擦クラッチ９２の作動を制御する。具体的には、前記油圧制御回路４８から上記摩擦クラッチ９２の油圧アクチュエータに供給される油圧Ｐbcrを制御することで、その摩擦クラッチ９２の係合状態すなわち前記エンジン１２のクランク軸２６の固定（ハウジング２８に対する固定）乃至その固定の解除を制御する。また、前記ハイブリッド駆動制御部７０及びロック機構作動制御部７８により、前記実施例と同様に前記摩擦クラッチ９２の切換時における制御を行う。すなわち、前記摩擦クラッチ９２より前記クランク軸２６がハウジング２８に対して固定された状態からその摩擦クラッチ９２による固定が解除される状態への切換時に、前記第１電動機ＭＧ１のトルクＴMG1の絶対値を減少させる制御を行う。また、好適には、斯かる切換時に、前記エンジン１２を正転させる方向に前記第１電動機ＭＧ１のトルクＴMG1を変化させた後、前記摩擦クラッチ９２による固定を解除する制御を行う。また、好適には、斯かる切換時に、前記第１電動機駆動制御部７４により前記第１電動機ＭＧ１のトルクＴMG1の絶対値を減少させる制御を行う際には、前記第２電動機駆動制御部７６により前記第２電動機ＭＧ２のトルクＴMG2の絶対値を維持乃至増加させる制御を行う。また、好適には、斯かる切換時に、前述したロック解除判定部８０による判定を行う。【００５４】
また、ロック機構として前記摩擦クラッチ９２を備えた駆動装置９０において、好適には、前記切換時にその摩擦クラッチ９２の解放が完了する前に前記第１電動機ＭＧ１の回転速度ＮMG1の漸増制御が行われる。すなわち、前記摩擦クラッチ９２より前記クランク軸２６がハウジング２８に対して固定（完全係合）された状態からその摩擦クラッチ９２による固定が解除される状態への切換時に、先ず、前記第１電動機駆動制御部７４により前記第１電動機ＭＧ１のトルクＴMG1の絶対値を減少させる制御が行われた後、前記ロック機構作動制御部７８により前記摩擦クラッチ９２の解放制御が開始される。そして、その摩擦クラッチ９２の解放制御が開始された後、解放が完了する前（完全解放される前）に、前記第１電動機駆動制御部７４により前記第１電動機ＭＧ１の回転速度ＮMG1を漸増させる制御が行われる。例えば多板式の摩擦クラッチ９２等においては、その摩擦クラッチ９２が係合された状態から解放される状態への切換時に、図７を用いて前述した前記クランク軸２６にかかるトルクの釣り合いが特に問題とされないため、前記摩擦クラッチ９２の解放制御と併行して前記第１電動機ＭＧ１の回転速度ＮMG1を漸増させる制御を行うことで、前記エンジン１２の逆回転を抑制しつつそのエンジン１２の始動制御を可及的速やかに完了させることができる。【００５５】
図１１は、前記電子制御装置５０による前記駆動装置９０のハイブリッド駆動制御の要部を説明するフローチャートであり、所定の周期で繰り返し実行されるものである。なお、この図１１に示す制御について、前述した図９の制御と共通のステップについては同一の符号を付してその説明を省略する。図１１に示す制御では、前述したＳ２の処理に続くＳ３において、前記摩擦クラッチ９２の解放制御が開始され、その油圧アクチュエータに供給される油圧Ｐbcrの漸減が開始される。次に、Ｓ５において、前記第１電動機ＭＧ１の回転速度ＮMG1の上昇が開始される。次に、Ｓ４において、前記摩擦クラッチ９２の解放が完了したか否か、すなわち前記クランク軸２６のハウジング２８に対する固定が解除されたか否かが、前記エンジン回転速度センサ５６により検出されるエンジン回転速度ＮEの変化に基づいて判定される。例えば、Ｓ１の判定が肯定されてから規定時間後に、前記エンジン回転速度センサ５６により検出されるエンジン回転速度ＮEが予め定められた閾値Ｎbo以上となったか否かが判断される。このＳ４の判断が否定される場合には、Ｓ２以下の処理が再び実行されるが、Ｓ４の判断が肯定される場合には、前述したＳ６以下の処理が実行される。【００５６】
このように、本実施例によれば、ロック機構である前記噛合クラッチ４６乃至摩擦クラッチ９２により出力軸であるクランク軸２６が非回転部材であるハウジング２８に対して固定され且つ前記第１電動機ＭＧ１により第３回転要素であるリングギヤＲに動力を伝達している状態から、そのロック機構による固定が解除される状態への切換時に、前記第１電動機ＭＧ１のトルクＴMG1の絶対値が減少させられた後にそのロック機構による固定が解除されることから、例えば前記ロック機構に備えられたブレーキアクチュエータの応答ばらつき等によりそのロック機構による固定が早期に解除された場合であっても、前記エンジン１２の逆回転を好適に抑制できる。すなわち、クランク軸２６のロックを解除する際におけるエンジン１２の逆回転を抑制するハイブリッド車両の電子制御装置５０を提供することができる。【００５７】
また、前記第１電動機ＭＧ１により前記リングギヤＲに動力を伝達している状態においては、その第１電動機ＭＧ１のトルクＴMG1は前記エンジン１２を逆回転させる方向とされたものであるため、ロック機構による固定が早期に解除された場合等において前記エンジン１２の逆回転が発生し易い場合において、クランク軸２６のロックを解除する際におけるエンジン１２の逆回転を好適に抑制することができる。【００５８】
また、前記切換時に、前記第１電動機ＭＧ１のトルクＴMG1が前記エンジン１２を正転させる方向に変化させられた後に前記ロック機構による固定が解除されるものであるため、クランク軸２６のロックを解除する際におけるエンジン１２の逆回転を好適且つ実用的な態様で抑制することができる。【００５９】
また、第３回転要素である前記リングギヤＲと駆動輪である車輪１４との間の動力伝達経路に第２電動機ＭＧ２が接続されたものであり、前記切換時に、前記第１電動機ＭＧ１のトルクＴMG1の絶対値が減少させられる際には、前記第２電動機ＭＧ２のトルクＴMG2の絶対値は維持乃至増加させられるものであるため、クランク軸２６のロックを解除する際における車輪１４側への出力トルクの低下を好適に抑制することができる。【００６０】
また、前記切換時に、前記第１電動機ＭＧ１のトルク制御による前記エンジン１２のクランク軸２６の回転速度変化に基づいてそのクランク軸２６の前記ハウジング２８に対する固定の解除を検出するものであるため、クランク軸２６のロックを解除する際に、そのロックが解除されたことを好適且つ実用的な態様で検出することができる。【００６１】
以上、本発明の好適な実施例を図面に基づいて詳細に説明したが、本発明はこれに限定されるものではなく、その趣旨を逸脱しない範囲内において種々の変更が加えられて実施されるものである。
【符号の説明】
【００６２】
１０、９０：ハイブリッド車両用駆動装置、１２：エンジン、１４：車輪（駆動輪）、１６：第１駆動部、１８：第２駆動部、２０：差動歯車装置、２２：車軸、２４：遊星歯車装置（差動機構）、２６：クランク軸（出力軸）、２８：ハウジング（非回転部材）、３０：オイルポンプ、３２：出力歯車、３４：中間出力軸、３６：大径歯車、３８：小径歯車、４０：入力歯車、４２：出力軸、４４：第２出力歯車、４６：噛合クラッチ（ロック機構）、４６ａ：エンジン側部材、４６ｂ：ハウジング側部材、４６ｃ：スリーブ、４６ｄ：アクチュエータ、４８：油圧制御回路、５０：ハイブリッド駆動制御用電子制御装置、５２：エンジン制御用電子制御装置、５４：電動機制御用電子制御装置、５６：エンジン回転速度センサ、５８：バッテリＳＯＣセンサ、６２：エンジン出力制御装置、６４：第１インバータ、６６：第２インバータ、７０：ハイブリッド駆動制御部、７２：エンジン駆動制御部、７４：第１電動機駆動制御部、７６：第２電動機駆動制御部、７８：ロック機構作動制御部、８０：ロック解除判定部、９２：摩擦クラッチ（ロック機構）、ＣＡ：キャリア（第２回転要素）、ＭＧ１：第１電動機、ＭＧ２：第２電動機、Ｒ：リングギヤ（第３回転要素）、Ｓ：サンギヤ（第１回転要素）
【図１】
2013038481.tif 000003
【図２】
2013038481.tif 000004
【図３】
2013038481.tif 000005
【図４】
2013038481.tif 000006
【図５】
2013038481.tif 000007
【図６】
2013038481.tif 000008
【図７】
2013038481.tif 000009
【図８】
2013038481.tif 000010
【図９】
2013038481.tif 000011
【図１０】
2013038481.tif 000012
【図１１】
2013038481.tif 000013
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
第１回転要素、入力回転部材であってエンジンに連結された第２回転要素、及び出力回転部材である第３回転要素を備えた差動機構と、前記第１回転要素に連結された電動機と、前記エンジンの出力軸を非回転部材に対して固定するロック機構とを、備えたハイブリッド車両の制御装置であって、
前記ロック機構により前記出力軸が非回転部材に対して固定され且つ前記電動機により前記第３回転要素に動力を伝達している状態から、該ロック機構による固定が解除される状態への切換時に、前記電動機のトルクの絶対値が減少させられた後に該ロック機構による固定が解除されることを特徴とするハイブリッド車両の制御装置。
【請求項２】
前記電動機により前記第３回転要素に動力を伝達している状態においては、該電動機のトルクは前記エンジンを逆回転させる方向とされたものである請求項１に記載のハイブリッド車両の制御装置。
【請求項３】
前記切換時に、前記電動機から出力される、前記エンジンを正転させる方向のトルクが増加させられた後に、前記ロック機構による固定が解除されるものである請求項１又は２に記載のハイブリッド車両の制御装置。
【請求項４】
前記第３回転要素と駆動輪との間の動力伝達経路に第２電動機が接続されたものであり、
前記切換時に、前記電動機のトルクの絶対値が減少させられる際には、前記第２電動機のトルクの絶対値は維持乃至増加させられるものである請求項１から３の何れか１項に記載のハイブリッド車両の制御装置。
【請求項５】
前記切換時に、前記電動機のトルク制御による前記エンジンの出力軸の回転速度変化に基づいて該出力軸の前記非回転部材に対する固定の解除を検出するものである請求項１から４の何れか１項に記載のハイブリッド車両の制御装置。
【手続補正２】
【補正対象書類名】明細書
【補正対象項目名】０００３
【補正方法】変更
【補正の内容】
【０００３】
制するハイブリッド車両の制御装置を提供することができる。
［０００８］
ここで、前記第１発明に従属する本第２発明の要旨とするところは、前記電動機により前記第３回転要素に動力を伝達している状態においては、その電動機のトルクは前記エンジンを逆回転させる方向とされたものである。このようにすれば、ロック機構による固定が早期に解除された場合等において前記エンジンの逆回転が発生し易い場合において、出力軸のロックを解除する際におけるエンジンの逆回転を好適に抑制することができる。
［０００９］
また、前記第１発明乃至第２発明に従属する本第３発明の要旨とするところは、前記切換時に、前記電動機から出力される、前記エンジンを正転させる方向のトルクが増加させられた後に、前記ロック機構による固定が解除されるものである。このようにすれば、出力軸のロックを解除する際におけるエンジンの逆回転を好適且つ実用的な態様で抑制することができる。
［００１０］
また、前記第１発明、第２発明、第１発明に従属する第３発明、乃至第２発明に従属する第３発明に従属する本第４発明の要旨とするところは、前記第３回転要素と駆動輪との間の動力伝達経路に第２電動機が接続されたものであり、前記切換時に、前記電動機のトルクの絶対値が減少させられる際には、前記第２電動機のトルクの絶対値は維持乃至増加させられるものである。このようにすれば、出力軸のロックを解除する際における駆動輪側への出力トルクの低下を好適に抑制することができる。
［００１１］
また、前記第１発明、第２発明、第１発明に従属する第３発明、第２発明に従属する第３発明、第１発明に従属する第４発明、第２発明に従属する第４発明、乃至第３発明に従属する第４発明に従属する本第５発明の要旨とするところは、前記切換時に、前記電動機のトルク制御による前記エンジンの出力軸の回転速度変化に基づいてその出力軸の前記非回転部材に対する固定の解除を検出するものである。このようにすれば、出力軸のロックを解除する際に、そのロックが解除されたことを好適且つ実用的な態様で検出することができる。
図面の簡単な説明
【国際調査報告】
2013038481.tif 000014
2013038481.tif 000015